(57)【要約】  【課題】  本来対応していない局側通信装置と端末側通信装置とを、漏話信号により通信確立させない通信確立方法の提供。  【解決手段】  通信回線の一端に接続された第１の通信装置と、他端に接続された第２の通信装置との間の通信を確立する通信確立方法。第１の通信装置は、第２の通信装置からの入力信号レベルを検出し（Ｓ１）、検出した入力信号レベルに基づき（Ｓ２，Ｓ３）、第２の通信装置と通信確立する（Ｓ４）。【選択図】        図２
2006180285.tif 000002
【特許請求の範囲】
【請求項１】
通信回線の一端に接続された第１の通信装置と、他端に接続された第２の通信装置との間の通信を確立する通信確立方法において、
前記第１の通信装置は、前記第２の通信装置からの入力信号レベルを検出し、検出した入力信号レベルに基づき、前記第２の通信装置と通信確立することを特徴とする通信確立方法。
【請求項２】
通信回線の一端に接続された第１の通信装置と、他端に接続された第2の通信装置との間の通信を確立する通信確立方法において、
前記第１の通信装置は、前記第２の通信装置と通信確立していない場合及び通信確立する場合の何れか一方の場合に、前記第２の通信装置へノイズとなる信号を送出することを特徴とする通信確立方法。
【請求項３】
通信回線の一端に接続され、該通信回線を介して通信を行う通信装置において、
前記通信回線の他端に接続された他の通信装置からの入力信号レベルを検出する検出手段と、該検出手段が検出した入力信号レベルに基づき、前記他の通信装置と通信確立する通信確立手段とを備えることを特徴とする通信装置。
【請求項４】
複数の通信回線の各一端に接続され、該複数の通信回線の各他端に接続された他の各通信装置と通信を行う通信装置において、
前記他の各通信装置からの入力信号レベルを検出する複数の検出手段と、該検出手段が検出した入力信号レベルを比較し、入力信号レベルが最大である他の通信装置を選択する手段と、該手段が選択した他の通信装置と通信確立する手段とを備えることを特徴とする通信装置。
【請求項５】
前記検出手段が検出した入力信号レベルが所定値以上であるか否かを判定する手段を更に備え、前記通信確立手段は、該手段が入力信号レベルが所定値以上であると判定したときに、通信確立するように構成してある請求項３記載の通信装置。
【請求項６】
前記検出手段は、他の通信装置からの通信確立の為の最初の信号を受信したときに作動するように構成してある請求項３乃至５の何れか１項に記載の通信装置。
【請求項７】
通信回線の一端に接続され、該通信回線を介して通信を行う通信装置において、
前記通信回線の他端に接続された他の通信装置と通信確立していない場合又は通信確立する場合に、前記他の通信装置へノイズとなる信号を送出するノイズ信号送出手段を備えることを特徴とする通信装置。
【請求項８】
前記ノイズ信号送出手段は、所定時間毎にノイズとなる信号を送出するように構成してある請求項７記載の通信装置。
【請求項９】
通信確立を要求する直前に、前記ノイズ信号送出手段が、ノイズとなる信号を送出するように構成してある請求項７記載の通信装置。
【請求項１０】
前記他の通信装置からの入力信号レベルを検出する検出手段と、該検出手段が検出した入力信号レベルが所定値以上であるか否かを判定する手段とを更に備え、該手段が入力信号レベルが所定値以上であると判定したときに、前記ノイズ信号送出手段が、ノイズとなる信号を送出するように構成してある請求項７記載の通信装置。
【請求項１１】
前記ノイズとなる信号は、前記他の通信装置へ送信すべき信号の全周波数帯域又は一部周波数帯域を使用した信号である請求項７乃至１０の何れか１項に記載の通信装置。
【発明の詳細な説明】
【技術分野】
【０００１】
本発明は、通信回線の一端に接続された局側通信装置と、他端に接続された端末側通信装置との間の通信を確立する通信確立方法、特に、ケーブル内に複数束ねられた２本の金属線からなる１又は複数の電話線で、１又は複数の端末側通信装置と端末側通信装置に電話線で接続された局側通信装置との通信確立を行うＡＤＳＬ（Asymmetric Digital Subscriber Line）及びＶＤＳＬ（Very high speed Digital Subscriber Line）等のｘＤＳＬ伝送方式の通信確立方法及び通信装置に関するものである。
【背景技術】
【０００２】
金属製の電話線を利用してディジタル信号を高速伝送するｘＤＳＬ伝送方式が普及している。これは、既設の電話帯域が４ｋＨｚ以下の周波数帯域を使っていることに着目して、４ｋＨｚを超える周波数帯域のディジタル信号を、既設の金属製の電話線を利用して伝送する技術である。この初期化信号の送出手順は、非特許文献３でハンドシェーク手順として勧告化されている。
【０００３】
ｘＤＳＬ伝送方式では、通信確立する為の初期化手順には、主として２種類の方法が有り、第１の方法は、端末側通信装置から先ず通信確立する為の信号を送信する方法、第２の方法は、局側通信装置から先ず通信確立する為の信号を送信する方法である。
【特許文献１】特許第３０７８２６２号公報
【特許文献２】特許第３３１９４２２号公報
【非特許文献１】ＩＴＵ−Ｔ（国際電気通信連合  電気通信標準化部門）勧告Ｇ．９９２．１〜Ｇ９９２．５
【非特許文献２】ＩＴＵ−Ｔ（  〃  〃  ）勧告Ｇ．９９３．１
【非特許文献３】ＩＴＵ−Ｔ（  〃  〃  ）勧告Ｇ．９９４．１
【発明の開示】
【発明が解決しようとする課題】
【０００４】
電話線は、通常、複数回線が束になって１つのケーブルに収容されており、その為、１つの電話線の信号が他の電話線に乗り移る漏話が発生する。漏話信号レベルが大きい場合、局側通信装置と端末側通信装置との接続タイミングによっては、本来対応していない局側通信装置と端末側通信装置とが、漏話により低速で通信確立してしまう場合があるという問題がある。
【０００５】
例えば、説明図１３に示すように、局側通信装置５が、複数の端末側通信装置１ａ，２ａ‥‥と内蔵する各ポート１，２‥‥で接続している集合型局側通信装置であり、通信確立する為の初期化手順が上述した第１の方法である場合、例えば端末側通信装置１ａが、通信確立する為の最初の信号を送出する。端末側通信装置１ａが送出した信号は、電話線８で接続されているポート１に、当然最も大きいレベルで到達するが、漏話によりポート２，３にも微量の信号が到達する。
【０００６】
この場合、ポート１が最も早く応答して、説明図１４に示すように、端末側通信装置１ａと通信確立すれば問題ないが、たまたま、ポート２が最も早く応答して、説明図１５に示すように、端末側通信装置１ａと漏話により通信確立してしまう虞がある。ポート２と端末側通信装置１ａとが通信確立してしまうと、本来対応していないポート２と端末側通信装置１ａが接続する為、通信品質は低下してしまう。また、ポート２に電話線８で接続されている端末側通信装置２ａは、何れのポートとも通信確立することが出来なくなるという問題が発生する。
【０００７】
特許文献１，２には、ＩＳＤＮのバースト周期に対応して、デュアルビットマップ方式で伝送速度を変化させて、ＩＳＤＮからの漏話ノイズへの対策とする「通信装置」、「マルチキャリア伝送システム、マルチキャリア伝送方法」が開示されている。
本発明は、上述したような事情に鑑みてなされたものであり、第１発明では、本来対応していない局側通信装置と端末側通信装置とを、漏話により通信確立させない通信確立方法を提供することを目的とする。
【０００８】
第２発明では、本来対応していない局側通信装置と端末側通信装置とが漏話により通信確立した場合でも、この通信を切断し、通信確立すべき局側通信装置と端末側通信装置とで正しく通信確立し直すことが出来る通信確立方法を提供することを目的とする。
【０００９】
第３〜６発明では、本来対応していない局側通信装置と端末側通信装置とが、漏話により通信確立しない通信装置を提供することを目的とする。
【００１０】
第７〜１１発明では、本来対応していない局側通信装置と端末側通信装置とが、漏話により通信確立した場合でも、この通信を切断し、通信確立すべき局側通信装置と端末側通信装置とで正しく通信確立し直すことが出来る通信装置を提供することを目的とする。
【課題を解決するための手段】
【００１１】
第１発明に係る通信確立方法は、通信回線の一端に接続された第１の通信装置と、他端に接続された第２の通信装置との間の通信を確立する通信確立方法において、前記第１の通信装置は、前記第２の通信装置からの入力信号レベルを検出し、検出した入力信号レベルに基づき、前記第２の通信装置と通信確立することを特徴とする。
【００１２】
第２発明に係る通信確立方法は、通信回線の一端に接続された第１の通信装置と、他端に接続された第２の通信装置との間の通信を確立する通信確立方法において、前記第１の通信装置は、前記第２の通信装置と通信確立していない場合及び通信確立する場合の何れか一方の場合に、前記第２の通信装置へノイズとなる信号を送出することを特徴とする。
【００１３】
第３発明に係る通信装置は、通信回線の一端に接続され、該通信回線を介して通信を行う通信装置において、前記通信回線の他端に接続された他の通信装置からの入力信号レベルを検出する検出手段と、該検出手段が検出した入力信号レベルに基づき、前記他の通信装置と通信確立する通信確立手段とを備えることを特徴とする。
【００１４】
第１発明に係る通信確立方法及び第３発明に係る通信装置では、通信回線の一端に接続され、通信回線を介して通信を行う。検出手段が、通信回線の他端に接続された他の通信装置からの入力信号レベルを検出し、検出手段が検出した入力信号レベルに基づき、通信確立手段が、他の通信装置と通信確立する。
【００１５】
第４発明に係る通信装置は、複数の通信回線の各一端に接続され、該複数の通信回線の各他端に接続された他の各通信装置と通信を行う通信装置において、前記他の各通信装置からの入力信号レベルを検出する複数の検出手段と、該検出手段が検出した入力信号レベルを比較し、入力信号レベルが最大である他の通信装置を選択する手段と、該手段が選択した他の通信装置と通信確立する手段とを備えることを特徴とする。
【００１６】
第４発明に係る通信装置では、複数の通信回線の各一端に接続され、複数の通信回線の各他端に接続された他の各通信装置と通信を行う。複数の検出手段が、他の各通信装置からの入力信号レベルを検出し、選択する手段が、複数の検出手段が検出した入力信号レベルを比較し、入力信号レベルが最大である他の通信装置を選択する。通信確立する手段は、選択する手段が選択した他の通信装置と通信確立する。
【００１７】
第５発明に係る通信装置は、前記検出手段が検出した入力信号レベルが所定値以上であるか否かを判定する手段を更に備え、前記通信確立手段は、該手段が入力信号レベルが所定値以上であると判定したときに、通信確立するように構成してあることを特徴とする。
【００１８】
第５発明に係る通信装置では、判定する手段が、検出手段が検出した入力信号レベルが所定値以上であるか否かを判定し、通信確立手段は、判定する手段が入力信号レベルが所定値以上であると判定したときに、通信確立する。
【００１９】
第６発明に係る通信装置は、前記検出手段は、他の通信装置からの通信確立の為の最初の信号を受信したときに作動するように構成してあることを特徴とする。
【００２０】
第７発明に係る通信装置は、通信回線の一端に接続され、該通信回線を介して通信を行う通信装置において、前記通信回線の他端に接続された他の通信装置と通信確立していない場合又は通信確立する場合に、前記他の通信装置へノイズとなる信号を送出するノイズ信号送出手段を備えることを特徴とする。
【００２１】
第７発明に係る通信装置では、通信回線の一端に接続され、通信回線を介して通信を行い、ノイズ信号送出手段が、通信回線の他端に接続された他の通信装置と通信確立していない場合又は通信確立する場合に、他の通信装置へノイズとなる信号を送出する。
【００２２】
第８発明に係る通信装置は、前記ノイズ信号送出手段は、所定時間毎にノイズとなる信号を送出するように構成してあることを特徴とする。
【００２３】
第９発明に係る通信装置は、通信確立を要求する直前に、前記ノイズ信号送出手段が、ノイズとなる信号を送出するように構成してあることを特徴とする。
【００２４】
第１０発明に係る通信装置は、前記他の通信装置からの入力信号レベルを検出する検出手段と、該検出手段が検出した入力信号レベルが所定値以上であるか否かを判定する手段とを更に備え、該手段が入力信号レベルが所定値以上であると判定したときに、前記ノイズ信号送出手段が、ノイズとなる信号を送出するように構成してあることを特徴とする。
【００２５】
第１０発明に係る通信装置では、検出手段が、他の通信装置からの入力信号レベルを検出し、判定する手段が、検出手段が検出した入力信号レベルが所定値以上であるか否かを判定する。ノイズ信号送出手段は、判定する手段が入力信号レベルが所定値以上であると判定したときに、ノイズとなる信号を送出する。
【００２６】
第１１発明に係る通信装置は、前記ノイズとなる信号は、前記他の通信装置へ送信すべき信号の全周波数帯域又は一部周波数帯域を使用した信号であることを特徴とする。
【発明の効果】
【００２７】
第１発明に係る通信確立方法によれば、本来対応していない局側通信装置と端末側通信装置とを、漏話により通信確立させない通信確立方法を実現することが出来る。
【００２８】
第２発明に係る通信確立方法によれば、本来対応していない局側通信装置と端末側通信装置とが漏話により通信確立した場合でも、この通信を切断し、通信確立すべき局側通信装置と端末側通信装置とで正しく通信確立し直すことが可能な通信確立方法を実現することが出来る。
【００２９】
第３，５，６発明に係る通信装置によれば、本来対応していない局側通信装置と端末側通信装置とが、漏話により通信確立しない通信装置を実現することが出来る。
【００３０】
第４発明に係る通信装置によれば、複数の他の通信装置と漏話により誤って通信確立することがなく、本来対応していない局側通信装置と端末側通信装置とが、漏話により通信確立しない通信装置を実現することが出来る。
【００３１】
第７，１１発明に係る通信装置によれば、本来対応していない局側通信装置と端末側通信装置とが、漏話により通信確立した場合でも、この通信を切断し、通信確立すべき局側通信装置と端末側通信装置とで正しく通信確立し直すことが可能な通信装置を実現することが出来る。
【００３２】
第８発明に係る通信装置によれば、本来対応していない局側通信装置と端末側通信装置とが、漏話により通信確立した場合でも、この通信を切断し、通信確立すべき局側通信装置と端末側通信装置とで正しく通信確立し直すことが可能な通信装置を実現することが出来る。また、所定時間毎にノイズとなる信号を送出するので、ノイズによる漏話で他の通信回線に悪影響を与えることが少ない。
【００３３】
第９発明に係る通信装置によれば、本来対応していない局側通信装置と端末側通信装置とが、漏話により通信確立した場合でも、この通信を切断し、通信確立すべき局側通信装置と端末側通信装置とで正しく通信確立し直すことが可能な通信装置を実現することが出来る。また、通信確立を要求する直前のみ、ノイズとなる信号を送出するので、ノイズによる漏話で他の通信回線に悪影響を与えることが殆どない。
【００３４】
第１０発明に係る通信装置によれば、本来対応していない局側通信装置と端末側通信装置とが、漏話により通信確立した場合でも、この通信を切断し、通信確立すべき局側通信装置と端末側通信装置とで正しく通信確立し直すことが可能な通信装置を実現することが出来る。また、漏話により他の通信装置が通信確立している虞があるときのみ、ノイズとなる信号を送出するので、ノイズによる漏話で他の通信回線に悪影響を与えることが殆どない。
【発明を実施するための最良の形態】
【００３５】
以下に、本発明をその実施の形態を示す図面に基づいて具体的に説明する。
（実施の形態１）
図１は、本発明に係る通信確立方法及び通信装置の実施の形態１の構成を示すブロック図である。局側通信装置５ａは、複数の端末側通信装置と各電話線８で接続する集合型局側通信装置であり、図示しない通信制御装置からの制御信号により制御されるＣＰＵ１８が、端末側通信装置と接続する為の複数のポート１，２Ｉ‥‥を制御する。
【００３６】
ポート１，２‥‥は、図示しないインターネット、ＬＡＮ（Local Area Network）等のネットワーク経由で伝送されて来た入力データを、伝送速度を調整する為に、入力バッファ１１が一旦記憶する。入力バッファ１１が一旦記憶したデータは、変調器１２に与えられ、変調器１２では、与えられたデータに、ｘＤＳＬ伝送の為のＤＭＴ（Discrete Multi Tone）等の変調を施す。変調器１２が変調したデータは、ハイブリッド回路１３から電話線８に送り出される。
【００３７】
一方、端末側通信装置１ｂ，２ｂ‥‥からｘＤＳＬ伝送により電話線８経由で送られて来たデータは、ハイブリッド回路１３で受入れた後、復調器１４で復調され、伝送速度を調整する為に、出力バッファ１５が一旦記憶する。出力バッファ１５が一旦記憶したデータは、出力データとして図示しないインターネット、ＬＡＮ等のネットワーク経由で所定のアドレスへ送信される。
ハイブリッド回路１３から復調器１４へ送られる信号（入力信号）のレベルは
、センサ１６で検出され送受信制御回路１７へ与えられる。送受信制御回路１７は、局側通信装置５ａのＣＰＵ１８から制御されると共に、上述した入力バッファ１１、変調器１２、復調器１４及び出力バッファ１５を制御する。
【００３８】
端末側通信装置１ｂ、２ｂ‥‥は、図示しないパーソナルコンピュータ等の端末装置からの入力データを、伝送速度を調整する為に、入力バッファ２１が一旦記憶する。入力バッファ２１が一旦記憶したデータは、変調器２２に与えられ、変調器２２では、与えられたデータに、ｘＤＳＬ伝送の為のＤＭＴ等の変調を施す。変調器２２が変調したデータは、ハイブリッド回路２３から電話線８に送り出される。
【００３９】
一方、ポート１，２からｘＤＳＬ伝送により電話線８経由で送られて来たデータは、ハイブリッド回路２３で受入れた後、復調器２４で復調され、伝送速度を調整する為に、出力バッファ２５が一旦記憶する。出力バッファ２５が一旦記憶したデータは、出力データとして図示しないパーソナルコンピュータ等の端末装置へ送られる。
ハイブリッド回路２３から復調器２４へ送られる信号（入力信号）のレベルは、センサ２６で検出され送受信制御回路２７へ与えられる。送受信制御回路２７は、上述した入力バッファ２１、変調器２２、復調器２４及び出力バッファ２５を制御する。
尚、ポート１，２‥‥及び端末側通信装置１ｂ、２ｂ‥‥は、それぞれより多数であっても同様である。
【００４０】
以下に、このような局側通信装置５ａの通信確立についての動作を、図２のフローチャートを参照しながら説明する。
局側通信装置５ａのＣＰＵ１８は、一定時間毎に、通信確立していない各ポート１，２‥‥の各センサ１６が検出した入力信号レベルを、各送受信制御回路１７経由で読込み（Ｓ１）、読込んだ各入力信号レベルを比較する（Ｓ２）。
次に、ＣＰＵ１８は、各入力信号レベルを比較した結果（Ｓ２）、入力信号レベルが最大であるポートを選択し（Ｓ３）、選択したポートに、電話線８で接続された端末側通信装置へ通信確立の為の応答信号を出力させ、通信確立の手順を実行させる（Ｓ４）。
【００４１】
例えば、説明図３に示すように、端末側通信装置１ｂが、通信確立する為の最初の信号を送出した場合、端末側通信装置１ｂが送出した信号は、電話線８で接続されているポート１に、当然最も大きいレベルで到達するが、漏話によりポー
ト２，３，４にも微量の信号が到達する。尚、説明図３では、端末側通信装置４ｂとポート４の間は、通信が確立し、通信中であることにしている。
しかし、局側通信装置５ａのＣＰＵ１８は、受信待ち状態にあるポート１，２，３のうち、入力信号レベルが最も大きいポート１にのみ、通信確立の為の応答信号を出力させるので、端末側通信装置１ｂとポート１とで通信確立され、漏話による通信確立は生じない。
【００４２】
（実施の形態２）
図４は、本発明に係る通信確立方法及び通信装置の実施の形態２の構成を示すブロック図である。局側通信装置７は、端末側通信装置６と１対１で対応する対向型局側通信装置であり、図示しないインターネット、ＬＡＮ（Local Area Network）等のネットワーク経由で伝送されて来た入力データを、伝送速度を調整する為に、入力バッファ１１が一旦記憶する。入力バッファ１１が一旦記憶したデータは、変調器１２に与えられ、変調器１２では、与えられたデータに、ｘＤＳＬ伝送の為のＤＭＴ等の変調を施す。変調器１２が変調したデータは、ハイブリッド回路１３から電話線８に送り出される。
【００４３】
一方、端末側通信装置６からｘＤＳＬ伝送により電話線８経由で送られて来たデータは、ハイブリッド回路１３で受入れた後、復調器１４で復調され、伝送速度を調整する為に、出力バッファ１５が一旦記憶する。出力バッファ１５が一旦記憶したデータは、出力データとして図示しないインターネット、ＬＡＮ等のネットワーク経由で所定のアドレスへ送信される。
ハイブリッド回路１３から復調器１４へ送られる信号（入力信号）のレベルは、センサ１６で検出され送受信制御回路１７（ＣＰＵ）へ与えられる。送受信制御回路１７は、図示しない通信制御装置からの制御信号により制御されると共に、上述した入力バッファ１１、変調器１２、復調器１４及び出力バッファ１５を制御する。
【００４４】
端末側通信装置６は、図示しないパーソナルコンピュータ等の端末装置からの入力データを、伝送速度を調整する為に、入力バッファ２１が一旦記憶する。入力バッファ２１が一旦記憶したデータは、変調器２２に与えられ、変調器２２では、与えられたデータに、ｘＤＳＬ伝送の為のＤＭＴ等の変調を施す。変調器２２が変調したデータは、ハイブリッド回路２３から電話線８に送り出される。
【００４５】
一方、局側通信装置７からｘＤＳＬ伝送により電話線８経由で送られて来たデータは、ハイブリッド回路２３で受入れた後、復調器２４で復調され、伝送速度を調整する為に、出力バッファ２５が一旦記憶する。出力バッファ２５が一旦記憶したデータは、出力データとして図示しないパーソナルコンピュータ等の端末装置へ送られる。
ハイブリッド回路２３から復調器２４へ送られる信号（入力信号）のレベルは、センサ２６で検出され送受信制御回路２７（ＣＰＵ）へ与えられる。送受信制御回路２７は、上述した入力バッファ２１、変調器２２、復調器２４及び出力バッファ２５を制御する。
【００４６】
以下に、このような局側通信装置７の通信確立についての動作を、図５のフローチャートを参照しながら説明する。
局側通信装置７の送受信制御回路１７は、通信確立の為の最初の信号を受けた場合に、センサ１６が検出した通信確立の為の最初の信号のレベルを読込み（Ｓ１０）、読込んだ信号のレベルが所定値以上であるか否かを判定する（Ｓ１１）。
送受信制御回路１７は、信号のレベルが所定値以上であれば（Ｓ１１）、端末側通信装置６へ通信確立の為の応答信号を出力し通信確立の手順を実行する（Ｓ１２）。入力信号レベルが所定値以上でなければリターンする。
【００４７】
尚、上述した動作は、端末側通信装置６から先ず通信確立する為の信号を送信する場合の局側通信装置７の動作であるが、局側通信装置７から先ず通信確立する為の信号を送信する場合の端末側通信装置６の動作にも適用可能である。
また、局側通信装置が、１ポートのみサポートしている対向型局側通信装置である場合を説明したが、複数ポートをサポートする集合型局側通信装置である場合も、局側通信装置７の代わりに各ポートに適用することが出来る。
【００４８】
上述した所定値は、集合型局側通信装置に適用する場合、最も遠い位置にある端末側通信装置からの上り受信信号より小さく、ある端末側通信装置からの信号が漏話して、局側通信装置に届き得る最大値より大きくする必要がある。例えば、５００ｍ先の端末側通信装置からの、伝送速度毎の上り信号強度、及び漏話信号の最大受信強度は、図６に示すようになり、この場合、上り信号強度が漏話信号の最大受信強度より大きい斜線部分の信号強度を所定値（閥値）に設定することが可能である。
【００４９】
（実施の形態３）
図７は、本発明に係る通信確立方法及び通信装置の実施の形態３の動作を示すフローチャートである。本実施の形態３の構成は、実施の形態１で示した本発明に係る通信確立方法及び通信装置の構成を示すブロック図（図１）と同様であるので説明を省略する。また、図１では、局側通信装置は集合型局側通信装置であるが、局側通信装置が対向型局側通信装置（図４）である場合にも、各ポート１，２‥‥を局側通信装置７に代えて適用することが出来る。
【００５０】
以下に、局側通信装置５ａ（図１）の通信確立についての動作を、図７のフローチャートを参照しながら説明する。
局側通信装置５ａの各送受信制御回路１７は、自身のポート１，２‥‥が通信確立しているか否かを判定し（Ｓ２０）、通信確立（確立の為の手順実行中を含む）していればリターンする。通信確立していなければ（アイドル状態）、内蔵するタイマで計時し（Ｓ２１）、計時した時間が所定時間になったか否かを判定し（Ｓ２２）、所定時間になっていなければリターンする。
【００５１】
各送受信制御回路１７は、計時した時間が所定時間になっていれば（Ｓ２２）、タイマをリセットした後（Ｓ２３）、電話線８で接続されている端末側通信装置１ｂ，２ｂ‥‥へ、ノイズとなる信号を所定時間送出する（Ｓ２４）。ノイズとなる信号を所定時間送出した後、端末側通信装置１ｂ，２ｂ‥‥から、通信確立の為の最初の信号を受信したときは（Ｓ２５）、通信確立の手順を実行し（Ｓ２６）、最初の信号を受信しなければ（Ｓ２５）リターンする。
【００５２】
例えば、説明図９に示すように、端末側通信装置２ｂが漏話によりポート１と通信確立している場合に、ポート２からノイズとなる信号を送出すると、端末側通信装置２ｂには大きなノイズとなる為、エラー又は同期はずれが発生する。その為、切断ロジックが働き、端末側通信装置２ｂとポート１との通信確立状態が解消され、端末側通信装置２ｂとポート２との通信確立が可能となる。
【００５３】
ノイズとなる信号は、エラーを発生させ通信確立状態を切断させる必要があるので、異ポート接続している周波数帯域と重なる信号である必要があり、下り信号の全周波数帯域又は一部周波数帯域を使用する信号（無変調信号でも良い）が最も簡単に実現することが出来る。
また、ノイズとなる信号の強度は、異ポート接続している回線を切断出来る強度であり、かつ、他の回線に漏話による悪影響を与えて回線断及びエラーを生じさせない強度であることが望ましい。実際例として、異ポート接続している下り受信信号と同じレベルの信号を送出すれば（Ｓ／Ｎ＝１の状態にする）十分である。
【００５４】
この場合、ノイズとなる信号の送信レベルは、（下り送信信号）−（１回線漏話減衰量）＋（線路減衰量）となる。１回線漏話減衰量と線路減衰量は、測定可能であれば問題ないが、測定出来ない場合、過去の測定データを保持しているものを使用する。過去の測定データが無いときは、ＴＴＣ（ＪＪ１００．０１）等に記載されている数値に基づき、理論的な計算により求めることも可能である。
ノイズとなる信号を頻繁に送出すると、漏話で他の回線に悪影響を与えるので、所定時間毎に送出する。
【００５５】
尚、上述した動作は、局側通信装置５ａの動作であるが、端末側通信装置１ｂ，２ｂ‥‥の動作にも適用することが出来る。この場合、ノイズとなる信号は上り信号の全周波数帯域又は一部周波数帯域を使用する信号（無変調信号でも良い）が最も簡単に実現することが出来る。
【００５６】
（実施の形態４）
図８は、本発明に係る通信確立方法及び通信装置の実施の形態４の動件を示すフローチャートである。本実施の形態４の構成は、実施の形態１で示した本発明に係る通信確立方法及び通信装置の構成を示すブロック図（図１）と同様であるので説明を省略する。また、図１では、局側通信装置は集合型局側通信装置であるが、局側通信装置が対向型局側通信装置（図４）である場合にも、各ポート１，２‥‥を局側通信装置７に代えて適用することが出来る。
【００５７】
以下に、端末側通信装置１ｂ，２ｂ‥‥（図１）の通信確立についての動作を、図８のフローチャートを参照しながら説明する。
端末側通信装置１ｂ，２ｂ‥‥の送受信制御回路２７は、通信確立の為の最初の信号を送出する場合（Ｓ３０）、その前に先ず、パラメータｋが０であるか否かを判定する（Ｓ３１）。パラメータｋが０であれば、電話線８で接続されている局側通信装置５ａのポート１，２‥‥へ、ノイズとなる信号を所定時間送出する（Ｓ３２）。通信確立の為の最初の信号を送出する場合でなければ（Ｓ３０）リターンする。
【００５８】
次に、送受信制御回路２７は、通信確立の為の最初の信号を送出して（Ｓ３３）、パラメータｋに１を加算し（Ｓ３４）、ポート１，２‥‥から、最初の信号に対する応答信号が無ければ（Ｓ３５）、パラメータｋが所定値ｎであるか否かを判定する（Ｓ３６）。
送受信制御回路２７は、パラメータｋが所定値ｎであれば（Ｓ３６）、パラメータｋを０にして（Ｓ３７）リターンする。パラメータｋが所定値ｎでなければ（Ｓ３６）そのままリターンする。
【００５９】
送受信制御回路２７は、応答信号が無い場合（Ｓ３５）、リターンした後、再度、通信確立の為の最初の信号を送出する動作に入り（Ｓ３０）、パラメータｋが０であるか否かを判定する（Ｓ３１）。パラメータｋが０でなければ、通信確立の為の最初の信号を再度送出して（Ｓ３３）、パラメータｋに１を加算する（Ｓ３４）。
送受信制御回路２７は、ポート１，２‥‥から、最初の信号に対する応答信号が有れば（Ｓ３５）、パラメータｋを０にした後（Ｓ３８）、通信確立の手順を実行し（Ｓ３９）リターンする。
【００６０】
例えば、説明図９に示すように、端末側通信装置２ｂが漏話によりポート１と通信確立している場合に、端末側通信装置１ｂからノイズとなる信号を送出すると、ポート１には大きなノイズとなる為、エラー又は同期はずれが発生する。その為、切断ロジックが働き、端末側通信装置２ｂとポート１との通信確立状態が解消され、端末側通信装置１ｂとポート１との通信確立が可能となる。
【００６１】
ノイズとなる信号については、実施の形態３における説明と、下り信号及び上り信号に関係なく同様である。
ノイズとなる信号を頻繁に送出すると、漏話で他の回線に悪影響を与えるので、通信確立の最初の段階であるハンドシェーク（通信確立の為の最初の信号）を送出する都度、ノイズとなる信号を送出するのではなく、ｎ回に１度だけ送出す
る。
【００６２】
尚、上述した動作は、局側通信装置５ａから先ず通信確立する為の信号を送信する場合の局側通信装置５ａの動作であるが、端末側通信装置１ｂ，２ｂ‥‥から先ず通信確立する為の信号を送信する場合の端末側通信装置１ｂ，２ｂ‥‥の動作にも適用することが出来る。
【００６３】
（実施の形態５）
図１０は、本発明に係る通信確立方法及び通信装置の実施の形態５の動作を示すフローチャートである。本実施の形態５の構成は、実施の形態１で示した本発明に係る通信確立方法及び通信装置の構成を示すブロック図（図１）と同様であるので説明を省略する。また、図１では、局側通信装置は集合型局側通信装置であるが、局側通信装置が対向型局側通信装置（図４）である場合にも、各ポート１，２‥‥を局側通信装置７に代えて適用することが出来る。
【００６４】
以下に、局側通信装置５ａ（図１）の通信確立についての動作を、図１０のフローチャートを参照しながら説明する。
局側通信装置５ａの各送受信制御回路１７は、自身のポート１，２‥‥が通信確立しているか否かを判定し（Ｓ４０）、通信確立（確立の為の手順実行中を含む）していればリターンする。通信確立していなければ（アイドル状態）、センサ１６が検出した入力信号レベルを読込み（Ｓ４１）、読込んだ入力信号レベルが所定値以上であるか否かを判定する（Ｓ４２）。
【００６５】
送受信制御回路１７は、入力信号レベルが所定値以上であれば（Ｓ４２）、電話線８で接続されている端末側通信装置１ｂ，２ｂ‥‥へ、ノイズとなる信号を所定時間送出する（Ｓ４３）。ノイズとなる信号を所定時間送出した後、端末側通信装置１ｂ，２ｂ‥‥から、通信確立の為の最初の信号を受信したときは（Ｓ４４）、通信確立の手順を実行する（Ｓ４５）。
送受信制御回路１７は、入力信号レベルが所定値以上でなければ（Ｓ４２）リターンする。また、通信確立の為の最初の信号を受信しないときは（Ｓ４４）リターンする。
【００６６】
例えば、説明図１２に示すように、端末側通信装置２ｂが漏話によりポート１と通信確立している場合、ポート２には、通信確立していないのに、高いレベルの信号が入力されている。このようなときに、ポート２からノイズとなる信号を送出すると、端末側通信装置２ｂには大きなノイズとなる為、エラー又は同期はずれが発生する。その為、切断ロジックが働き、端末側通信装置２ｂとポート１との通信確立状態が解消され、端末側通信装置２ｂとポート２との通信確立が可能となる。
【００６７】
ノイズとなる信号については、下り信号及び上り信号に関係なく、実施の形態３における説明と同様である。
尚、上述した動作は、局側通信装置５ａの動作であるが、端末側通信装置１ｂ，２ｂ‥‥の動作にも適用することが出来る。この場合、ノイズとなる信号は上り信号の全周波数帯域又は一部周波数帯域を使用する信号（無変調信号でも良い）が最も簡単に実現することが出来る。
【００６８】
（実施の形態６）
図１１は、本発明に係る通信確立方法及び通信装置の実施の形態６の動作を示すフローチャートである。本実施の形態６の構成は、実施の形態１で示した本発明に係る通信確立方法及び通信装置の構成を示すブロック図（図１）と同様であるので説明を省略する。また、図１では、局側通信装置は集合型局側通信装置であるが、局側通信装置が対向型局側通信装置（図４）である場合にも、各ポート１，２‥‥を局側通信装置７に代えて適用することが出来る。
【００６９】
以下に、端末側通信装置１ｂ，２ｂ‥‥（図１）の通信確立についての動作を、図１１のフローチャートを参照しながら説明する。
端末側通信装置１ｂ，２ｂ‥‥の送受信制御回路２７は、通信確立の為の最初の信号を送出して（Ｓ５０）、ポート１，２‥‥から、最初の信号に対する応答信号が有れば（Ｓ５１）、通信確立の手順を実行し（Ｓ５５）リターンする。
送受信制御回路２７は、ポート１，２‥‥から、最初の信号に対する応答信号が無ければ（Ｓ５１）、センサ２６が検出した入力信号レベルを読込み（Ｓ５２）、読込んだ入力信号レベルが所定値以上であるか否かを判定する（Ｓ５３）。
【００７０】
送受信制御回路２７は、入力信号レベルが所定値以上であれば（Ｓ５３）、電話線８で接続されている局側通信装置５ａのポート１，２‥‥へ、ノイズとなる信号を所定時間送出した後（Ｓ５４）、再度、通信確立の為の最初の信号を送出する（Ｓ５０）。また、入力信号レベルが所定値以上でなければ（Ｓ５３）、ノイズとなる信号を送出することなく、再度、通信確立の為の最初の信号を送出する（Ｓ５０）。
【００７１】
例えば、説明図１２に示すように、端末側通信装置２ｂが漏話によりポート１と通信確立している場合に、端末側通信装置１ｂが通信確立の為の最初の信号を送出しても、応答信号は返って来ないが、高いレベルの信号が入力されている。このようなときに、端末側通信装置１ｂからノイズとなる信号を送出すると、ポート１には大きなノイズとなる為、エラー又は同期はずれが発生する。その為、切断ロジックが働き、端末側通信装置２ｂとポート１との通信確立状態が解消され、端末側通信装置１ｂとポート１との通信確立が可能となる。
【００７２】
ノイズとなる信号については、実施の形態３における説明と、下り信号及び上り信号に関係なく同様である。
ノイズとなる信号を頻繁に送出すると、漏話で他の回線に悪影響を与えるので、通信確立の最初の段階であるハンドシェーク（通信確立の為の最初の信号）を送出して、応答信号が返信されず、入力信号レベルが所定値以上であるときのみ、ノイズとなる信号を送出する。
【００７３】
尚、上述した動作は、端末側通信装置１ｂ，２ｂ‥‥から先ず通信確立する為の信号を送信する場合の端末側通信装置１ｂ，２ｂ‥‥の動作であるが、局側通信装置５ａから先ず通信確立する為の信号を送信する場合の局側通信装置５ａ（ポート１，２‥‥）の動作にも適用することが出来る。
【図面の簡単な説明】
【００７４】
【図１】本発明に係る通信確立方法及び通信装置の実施の形態の構成を示すブロック図である。
【図２】本発明に係る通信装置の通信確立についての動作を示すフローチャートである。
【図３】本発明に係る通信確立方法及び通信装置の動作を示す説明図である。
【図４】本発明に係る通信確立方法及び通信装置の実施の形態の構成を示すブロック図である。
【図５】本発明に係る通信装置の通信確立についての動作を示すフローチャートである。
【図６】通信確立の為の最初の信号と漏話信号とを区別する為の信号強度を説明する為の周波数−受信信号強度の特性図である。
【図７】本発明に係る通信確立方法及び通信装置の実施の形態の動作を示すフローチャートである。
【図８】本発明に係る通信確立方法及び通信装置の実施の形態の動作を示すフローチャートである。
【図９】本発明に係る通信確立方法及び通信装置の動作を示す説明図である。
【図１０】本発明に係る通信確立方法及び通信装置の実施の形態の動作を示すフローチャートである。
【図１１】本発明に係る通信確立方法及び通信装置の実施の形態の動作を示すフローチャートである。
【図１２】本発明に係る通信確立方法及び通信装置の動作を示す説明図である。
【図１３】従来の通信確立方法及び通信装置の動作を示す説明図である。
【図１４】従来の通信確立方法及び通信装置の動作を示す説明図である。
【図１５】従来の通信確立方法及び通信装置の動作を示す説明図である。
【符号の説明】
【００７５】
１，２  ポート
１ｂ，２ｂ，６  端末側通信装置
５ａ，７  局側通信装置
８  電話線
１１，２１  入力バッファ
１２，２２  変調器
１３，２３  ハイブリッド回路
１４，２４  復調器
１５，２５  出力バッファ
１６，２６  センサ
１７，２７  送受信制御回路
１８  ＣＰＵ
【図１】
2006180285.tif 000003
【図２】
2006180285.tif 000004
【図３】
2006180285.tif 000005
【図４】
2006180285.tif 000006
【図５】
2006180285.tif 000007
【図６】
2006180285.tif 000008
【図７】
2006180285.tif 000009
【図８】
2006180285.tif 000010
【図９】
2006180285.tif 000011
【図１０】
2006180285.tif 000012
【図１１】
2006180285.tif 000013
【図１２】
2006180285.tif 000014
【図１３】
2006180285.tif 000015
【図１４】
2006180285.tif 000016
【図１５】
2006180285.tif 000017